(57)【要約】【課題】印刷のために画像を出力しようとするときに、画像内でどの部分の色が再現されないかを容易に確認することができるようにする。【解決手段】印刷時の色再現特性に関する情報（２１）を取り込み、その色再現特性にしたがって、画像を印刷時に再現できる色で表示し、印刷時に再現できない色については、画像内の該当する部分について、他の色で表示する。再現できない色を本来の色と全く異なる色で表示することで、その部分を容易に確認することができる。【選択図】図１
2010161439.tif 000002
【特許請求の範囲】
【請求項１】
印刷時の色再現特性に関する情報を取り込み、
上記色再現特性にしたがって画像を印刷時に再現できる色で表示し、
印刷時に再現できない色については、上記画像内の該当する部分について、他の色で表示する
ことを特徴とする画像表示方法。
【請求項２】
請求項１記載の画像表示方法において、前記他の色として、黒もしくはグレーを用いることを特徴とする画像表示方法。
【請求項３】
請求項１項記載の画像表示方法において、
少なくとも第１の画像出力装置および第２の画像出力装置の印刷時のそれぞれの色再現特性に関する情報を取り込み、
上記第１の画像出力装置で再現できる色についてはそのままの色で、上記第１の画像出力装置で再現できないが上記第２の画像出力装置が再現できる色はその色とは異なる第１の色で、それ以外の色はその色および上記第１の色とは異なる第２の色で表示する
ことを特徴とする画像表示方法。
【請求項４】
請求項３記載の画像表示方法において、前記第１の色としてグレーを用い、前記第２の色として黒を用いることを特徴とする画像表示方法。
【請求項５】
印刷時の色再現特性に関する情報を蓄える手段と、
上記色再現特性にしたがって画像を印刷時に再現できる色で表示させ、印刷時に再現できない色については、上記画像内の該当する部分について、他の色で表示させる手段と
を有することを特徴とする画像処理装置。
【請求項６】
コンピュータに、
印刷時の色再現特性に関する情報をメモリに蓄える手順と、
上記色再現特性にしたがって画像を印刷時に再現できる色で表示させ、印刷時に再現できない色については、上記画像内の該当する部分について、他の色で表示させる手順と
を実行させる
ことを特徴とするプログラム。
【発明の詳細な説明】
【技術分野】
【０００１】
本発明は、画像表示方法および画像処理装置ならびにプログラムに関する。
【背景技術】
【０００２】
一般に、画像データの印刷は、液晶表示装置などの表示装置でその画像データを確認してから行われる。しかし、表示装置で表現される色と、印刷装置で表現される色とは、必ずしも一致しない。その理由は、液晶表示装置などの表示装置で表示される色は、ＲＧＢ表色系、すなわち赤、緑および青の加色混合により表現されるのに対し、印刷装置で印刷される色は、ＣＭＹＫ表色系、すなわちシアン、マゼンタ、イエローおよび黒などのインクの組み合わせによる減色混合により表現され、それぞれの色再現領域が異なるからである。印刷装置で再現できるものの表示装置では再現できない色も存在するが、一般には、表示装置に表示された色で印刷できることが望まれ、表示装置に表示されていながら、印刷するとその色が再現できないことが問題となる。
【０００３】
このような課題を解決するため、例えば特許文献１には、使用する印刷機のデバイスプロファイルと、モニターまたはプリンターのデバイスプロファイルとに、印刷に使用する製版データを作用させ、その製版データに対応して印刷機で印刷する場合の印刷絵柄の発色状態を出力することが記載されている。
【先行技術文献】
【特許文献】
【０００４】
【特許文献１】特開２００８−１６７４６３号公報
【発明の概要】
【発明が解決しようとする課題】
【０００５】
特許文献１に記載された技術によれば、印刷機とモニターまたはプリンターのデバイスプロファイルを利用することで、印刷機の発色状態をモニターまたはプリンターで確認することができる。しかし、特許文献１に記載の技術では、全体としての発色状態を確認することはできるが、画像上のどのような場所の色が再現されないとか、細かい状況まで確認することはできない。
【０００６】
本発明は、このような課題を解決し、印刷のために画像を出力しようとするときに、画像内でどの部分の色が再現されないかを容易に確認することのできる画像表示方法および画像処理装置ならびにプログラムを提供することを目的とする。
【課題を解決するための手段】
【０００７】
本発明の第１の観点によると、印刷時の色再現特性に関する情報を取り込み、色再現特性にしたがって画像を印刷時に再現できる色で表示し、印刷時に再現できない色については、画像内の該当する部分について、他の色で表示することを特徴とする画像表示方法が提供される。他の色としては、黒もしくはグレーを用いることができる。
【０００８】
少なくとも第１の画像出力装置および第２の画像出力装置のそれぞれの印刷時の色再現特性に関する情報を取り込み、第１の画像出力装置で再現できる色についてはそのままの色で、第１の画像出力装置で再現できないが第２の画像出力装置が再現できる色はその色と異なる第１の色で、それ以外の色はその色および第１の色とは異なる第２の色で、上記表示装置に表示することもできる。この場合、第１の色としてグレーを用い、第２の色として黒を用いることができる。
【０００９】
本発明の第２の観点によると、印刷時の色再現特性に関する情報を蓄える手段と、色再現特性にしたがって画像を印刷時に再現できる色で表示させ、印刷時に再現できない色については、画像内の該当する部分について、他の色で表示させる手段とを有することを特徴とする画像処理装置が提供される。
【００１０】
本発明の第３の観点によると、コンピュータに、印刷時の色再現特性に関する情報をメモリに蓄える手順と、色再現特性にしたがって画像を印刷時に再現できる色で表示させ、印刷時に再現できない色については、画像内の該当する部分について、他の色で表示させる手順とを実行させることを特徴とするプログラムが提供される。
【発明の効果】
【００１１】
本発明によれば、印刷時に再現できない色が他の色で表示されるので、画像内でどの部分の色が再現されないかを容易に確認することができる。
【図面の簡単な説明】
【００１２】
【図１】本発明の実施の形態に係る画像処理装置を有する画像処理システムのブロック構成図である。
【図２】図１に示す画像処理装置に接続される印刷装置の色再現領域すなわちプリンターガマットの一例を説明する図である。
【図３】図１に示す画像処理装置で使用されるプリンターガマットとソースガマットとを比較する図である。
【図４】図１に示す画像処理装置で使用される異なる印刷装置のプリンターガマットを比較する図である。
【図５】図１に示す画像処理装置内の画像処理部の処理のフローチャートである。
【図６】図１に示す画像処理装置内の画像処理部の処理の別のフローチャートである。
【発明を実施するための形態】
【００１３】
以下、本発明の実施の形態について、図面を参照して説明する。
【００１４】
［画像処理装置の構成］
図１は、本発明の実施の形態に係る画像処理装置を有する画像処理システムのブロック構成図である。この画像処理システムは、画像処理装置１と、この画像処理装置１に接続された印刷装置２および表示装置３を備える。画像処理装置１は、メモリ１１と、画像処理部１２と、印刷処理部１３とを有する。
【００１５】
メモリ１１は、印刷装置２の印刷時の色再現特性に関する情報である印刷プロファイル２１を蓄える。メモリ１１には、また、表示装置３の色再現情報に関する情報である表示プロファイル２２も蓄えられる。ここで、印刷プロファイル２１および表示プロファイル２２とは、ＩＣＣ（Ｉｎｔｅｒｎａｔｉｏｎａｌ  Ｃｏｌｏｒ  Ｃｏｎｓｏｔｉｕｍ）で規定されるプロファイルであり、個々のデバイスの色空間の特性を定義したものである。ＩＣＣプロファイルを利用することで、ＲＧＢ表色系やＣＭＹＫ表色系などのデバイスに依存した表色系色空間を、Ｌ＊ａ＊ｂ＊表色系（以下簡単のため「Ｌａｂ表色系」とする）やＸＹＺ表色系などのデバイスに依存しない表色系色空間に変換することができる。ＩＣＣプロファイルには、色彩的、相対的、絶対的および彩度的の４つのインテントが定義されているが、どのようなインテントを使用するかは、任意に選択することができる。
【００１６】
画像処理部１２は、印刷装置２で印刷しようとする画像を、印刷装置２の色再現特性にしたがって、印刷装置２が印刷時に再現できる色で表示装置３に表示させる。また、画像処理部１２は、印刷装置２で再現できない色については、画像内の該当する部分について、他の色で表示装置３に表示させる。以下では、表示装置３として液晶表示装置などの一般的にモニター用として利用される装置を想定し、画像データとしてＲＧＢ表色系のデータが画像処理部１２に入力されるものとして説明する。
【００１７】
［動作］
通常の印刷時には、画像処理部１２は、入力されたＲＧＢ表色系の画像データをモニター用に表示装置３に出力するとともに、印刷プロファイル２１を用いて印刷用のＬａｂ表色系に変換し、印刷処理部１３に出力する。印刷処理部１３は、Ｌａｂ表色系の画像データを印刷装置２に依存した表色系であるＣＭＹＫ表色系の画像データに変換し、印刷装置２に出力する。
【００１８】
印刷装置２で印刷される発色状態を印刷前に確認したい場合には、画像処理部１２において、表示装置３への表示を行うためのプロファイルとして、印刷プロファイル２１を利用する。すなわち、画像処理部１２は、印刷プロファイル２１を用いてＲＧＢ表色系の画像データをＬａｂ表色系の画像データに変換し、さらに、このＬａｂ表色系の画像データを、表示プロファイル２２を用いて再びＲＧＢ表色系の画像データに変換して、表示装置３に出力する。これにより、表示装置３上に、印刷装置２による色再現状況をシミュレートできる。また、Ｌａｂ表色系の画像データに変換する際に、印刷装置２で再現できない色については、画像内の該当する部分について、他の色、例えば黒またはグレーに変換する。
【００１９】
［色再現領域と表示色］
図２は、印刷装置２の色再現領域の一例、すなわちプリンターガマット３１を示す図である。縦軸はＬ＊、横軸はａ＊ｂ＊を示す。このようなプリンターガマット３１のデータが、印刷プロファイル２１に記載されている。このプリンターガマット３１を参照して表示装置２に表示することで、印刷装置２による出力時の色味を印刷前に確認することができる。また、図２に示すプリンターガマット３１自身を表示装置３に表示させて、どのような形状を有するガマットかを確認できるようにしてもよい。
【００２０】
図３は、プリンターガマット３１と、印刷しようとする画像データの色再現領域であるソースガマット３２とを比較する図である。ここで、ソースガマット３２は、表示装置３の色再現領域と一致するものとする。表示装置３で具体的な画像データに基づく画像を表示させるとき、プリンターガマット３１とソースガマット３２が重なり合う印刷可能領域４１についてはその色彩値を、ソースガマット３２内であってもプリンターガマット３１の外部である印刷不可領域４２については黒もしくはグレーを表示させることで、ソースガマット３２の色空間を忠実に再現できるか、色補正が必要かを、表示装置３に表示することができる。なお、プリンターガマット３１内であってもソースガマット３２の外部である領域４３は、印刷は可能であるが、画像データに色彩値が存在せず、実際には印刷されない領域である。また、図３に示す各ガマット３１、３２を画像と共に表示装置３に表示させてもよい。
【００２１】
また、具体的な画像をソースガマット３２に従って表示させた後、プリンターガマット３１に従う画像を切り替えて表示させ、両者の画像の変化を確認できるようにしてもよい。このように画像を切り替えて表示することで、印刷時の画像の色味をイメージしやすくすることができる。
【００２２】
図４は、異なる印刷装置のプリンターガマット３１、３３を比較する図である。図１では印刷装置２を１つだけ示したが、２つの印刷装置についてシミュレートを行うこともできる。その場合には、２つの印刷装置のプロファイルを印刷プロファイル２１としてメモリ１１に蓄え、第１の印刷装置で再現できる色、すなわちプリンターガマット３１で表される色再現領域５１内については、そのままの色彩値とする。第１の印刷装置で再現できないが第２の印刷装置が再現できる色、すなわちプリンターガマット３１の外でプリンターガマット３３の内側の領域５２については、第１の色、例えばグレーとする。それ以外の領域５３は、第２の色、例えば黒とする。これにより、２つの印刷装置のそれぞれの色再現領域をシミュレートすることができる。
【００２３】
また、具体的な画像を第１の印刷装置のプリンターガマット３１に従って表示させた後、表示を切り替えて、第２の印刷装置のプリンターガマット３２に従って表示させるようにしてもよい。表示を交互に切り替えて行うようにしてもよい。このように表示を切り替えると、２つの印刷装置での印刷状態を比較でき、その画像に適した印刷装置を選択できる。また、図４に示すガマットの状態をそのまま表示装置３に表示させるようにしてもよい。
【００２４】
［動作フロー］
図５は、図１に示す画像処理装置１内の画像処理部１２の処理のフローチャートである。このフローチャートは、印刷装置２のプリンターガマット３１に従って、表示装置３に具体的な画像を表示させる場合のものである。なお、図１を参照する説明では、印刷プロファイル２１があらかじめメモリ１１内にあるものとしているが、例えば印刷装置２が新たに画像処理装置１に接続されたものであるような場合には、その画像処理装置１の印刷プロファイル２１をメモリ１１に取り込む必要がある。すなわち、印刷装置２が指定され（ステップＳ１１）、その印刷装置２の印刷プロファイル２１がメモリ１１にない場合（ステップＳ１２でＮ）には、印刷プロファイル２１を取り込んでメモリ１１に保存する。そして、印刷装置２に出力しようとする画像を、印刷プロファイル２１にしたがって、印刷装置２が再現できる色で表示装置３に表示させる。また、印刷装置２で再現（印刷）できない色については、画像内の該当する部分について、他の色に変換して（ステップＳ１４）、で表示装置３に表示させる（ステップＳ１５）。
【００２５】
図６は、図１に示す画像処理装置１内の画像処理部１２の処理の別のフローチャートである。ここでは、２つの印刷装置についてシミュレートを行う場合を示す。この場合、２つの印刷装置が指定され（ステップＳ２１）、そのいずれか、あるいは両方の印刷装置の印刷プロファイル２１がメモリ１１にない場合（ステップＳ２２でＮ）には、その印刷装置の印刷プロファイル２１を取り込んでメモリ１１に保存する。そして、具体的な画像データについて、一方の印刷装置で再現できる色についてはそのままの色とし、一方の印刷装置で印刷できないが他方の印刷装置で印刷できる色は第１の色、例えばグレーに、それ以外の色、すなわち両方の印刷装置で印刷できない色は第２の色、例えば黒に変換する（ステップＳ２４）。そして、その画像データを表示装置３に表示する（ステップＳ２５）。
【００２６】
［その他の実施の形態］
以上、本発明の実施の形態に係る画像処理装置１について説明したが、本発明は、要旨を変更しない限り種々変更して実施できる。例えば、図１における画像処理装置１から表示装置３への画像データはＲＧＢ表色系であるとしたが、表示装置３として、Ｌａｂ表色系などのデバイスに依存しない表色系の画像データを入力とする装置を用いることもできる。その場合には、画像処理装置１２において、表示プロファイル２２を参照して、ＲＧＢ表色系の画像データをＬａｂ表色系に変換する。また、印刷装置２についても、内部でＬａｂ表色系からＣＭＹＫ表色系への変換を行う場合には、画素処理部１２からのＬａｂ表色系画像データをそのまま印刷装置２に出力することができる。さらに、入力として、ＲＧＢ表色系以外の画像データを利用することもできる。
【００２７】
また、印刷装置２内に画像処理装置１を組み込んでもよく、表示装置３を組み込んでもよい。すなわち、印刷機能付の画像処理装置としたり、表示機能付の画像処理装置としてもよい。さらには、印刷機能と表示機能との両機能を有する画像処理装置としてもよい。このような場合、表示機能を有する部分は、画像処理装置の表示部となり、印刷機能を有する部分は、画像処理装置内の印刷部となる。
【００２８】
また、シミュレーションの対象となる印刷装置２は、１つまたは２つのみならず、３つ以上とすることもできる。３つ以上の場合、その数に合わせ、第３の色、第４の色などを決定してもよく、３台目以上、あるいは所定台数以上についてはすべて同じ色にするなど、種々の色設定を採用することができる。また、画像処理装置としては、単に色のシミュレーションをするのみで、印刷装置２を接続しないものとしてもよい。
【符号の説明】
【００２９】
１  画像処理装置、２  印刷装置（画像出力装置）、３  表示装置、１１  メモリ（情報を蓄える手段）、１２  画像処理部（表示させる手段）、１３  印刷処理部、３１、３３  プリンターガマット、３２  ソースガマット
【図１】
2010161439.tif 000003
【図２】
2010161439.tif 000004
【図３】
2010161439.tif 000005
【図４】
2010161439.tif 000006
【図５】
2010161439.tif 000007
【図６】
2010161439.tif 000008